【手続補正書】
【提出日】平成23年3月9日(2011.3.9)
【手続補正１】
【補正対象書類名】明細書
【補正対象項目名】０００１
【補正方法】変更
【補正の内容】
【０００１】
本発明は、データベースからユーザの所望のデータを取り出す情報検索装置に関する。
【手続補正２】
【補正対象書類名】明細書
【補正対象項目名】０００３
【補正方法】変更
【補正の内容】
【０００３】
代表的なものとして、カーナビゲーション装置における目的地設定のタスクがある。
【手続補正３】
【補正対象書類名】明細書
【補正対象項目名】０００７
【補正方法】変更
【補正の内容】
【０００７】
特許文献３では、ウェブサイトの検索装置において、検索結果が所定の数を超えて画面に入りきらない場合に、検索結果のウェブサイトに含まれるキーワードをユーザに提示し、ユーザが選択したキーワードを含むウェブサイトに絞り込む技術が開示されている。
【特許文献１】特開２００２−１０７１７３号
【特許文献２】特開２００６−２０２１５９号
【特許文献３】特開２００４−２３４４２１号
【手続補正４】
【補正対象書類名】明細書
【補正対象項目名】０１００
【補正方法】変更
【補正の内容】
【０１００】
これを受けて、出力部９は、表示装置１０４の画面上の表示の更新と、音声出力装置１１１からの音声ガイダンスの出力を行う。更新された表示装置１０４の画面を図１６に示す。表示領域２０４０には、選定された属性語である「病院」、「金融機関」、「レジャー」が表示され、かつ施設数も表示される。
【手続補正５】
【補正対象書類名】明細書
【補正対象項目名】０１１０
【補正方法】変更
【補正の内容】
【０１１０】
この形態素への分割では、ユーザにとって自然に感じる位置で分割するものとする。
【手続補正６】
【補正対象書類名】明細書
【補正対象項目名】０１３６
【補正方法】変更
【補正の内容】
【０１３６】
以上のように、施設名中の形態素のうち、形態素の関連度に応じて、ユーザに提示する属性語（形態素）を動的に変化させることで、前記第１実施形態と同様に、ユーザにとって分かりやすい属性語を絞り込み属性として優先的に提示できるのである。
【手続補正７】
【補正対象書類名】明細書
【補正対象項目名】０１４６
【補正方法】変更
【補正の内容】
【０１４６】
ステップ２２０３０は、ループを開始する。１回のループでは、Ｍ個ある属性語から、任意のｎ個を取り出す。このループを、すべてのｍ個の属性語の組合せについて行う。よって、ループの回数は、
【手続補正８】
【補正対象書類名】明細書
【補正対象項目名】０２００
【補正方法】変更
【補正の内容】
【０２００】
ステップ３００１０は、施設名候補から、ｍ個の属性語の組合せで得点が最大となる属性語の組合せを計算する。この計算は、第１の実施形態で示した図６の処理をサブルーチンとして呼び出すことにより実行する。この計算で得られた属性組合せをＡnormal、最大得点をＳnormalとする。
【手続補正９】
【補正対象書類名】明細書
【補正対象項目名】０２１１
【補正方法】変更
【補正の内容】
【０２１１】
ステップ３２０１０は、施設名候補から、属性セットgenreに属する属性語だけを用い、ｍ個の属性語の組合せで得点が最大となる属性語の組合せを計算する。この計算は、第１の実施形態で示した図６の処理をサブルーチンとして呼び出すことにより実行する。この計算で得られた属性組合せをＡgenre、最大得点をＳgenreとする。
【手続補正１０】
【補正対象書類名】明細書
【補正対象項目名】０２１２
【補正方法】変更
【補正の内容】
【０２１２】
ステップ３２０２０は、施設名候補から、属性セットmorphemeに属する属性語だけを用い、ｍ個の属性語の組合せで得点が最大となる属性語の組合せを計算する。この計算についても、第１の実施形態で示した図６の処理をサブルーチンとして呼び出すことにより実行する。この計算で得られた属性組合せをＡmorpheme、最大得点をＳmorphemeとする。
【手続補正１１】
【補正対象書類名】明細書
【補正対象項目名】０２６０
【補正方法】変更
【補正の内容】
【０２６０】
なお、この更新の形態についてはとくに規定しないが、たとえば、目的地設定回数に対する各属性語が選択された割合を計算し、この割合がある値以上であれば施設名データベース８に格納される関連度を大きくし、ある値以下であれば施設名データベース８に格納される関連度を小さくするといった方法がある。たとえば、図４２にいては、施設「美薩動物病院」に対して、属性語「総合病院」が選択された回数が０回である。これを反映して、図５に示した施設名データベース８に保存される関連度のうち、「美薩動物病院」と「総合病院」の間の関連度を０にする操作を行う。
【手続補正１２】
【補正対象書類名】明細書
【補正対象項目名】０２６２
【補正方法】変更
【補正の内容】
【０２６２】
また、上記に説明した、ユーザが選定する属性語の頻度に基づいた関連度の更新だけではなく、新しく設立された施設に対して、その施設名と属性語の関連度を合わせてカーナビゲーション装置１００がサーバ４００３０からダウンロードしても良い。または、既存の施設の業種が変更された場合において、変更された業種に沿った属性語と関連度の値をダウンロードしても良い。
【手続補正１３】
【補正対象書類名】明細書
【補正対象項目名】０２８７
【補正方法】変更
【補正の内容】
【０２８７】
しかしながら、音声による入力の場合、入力される単語列が複数である場合や、複数の単語列候補がある場合がある。以下、この場合について説明する。たとえば、ユーザが「東西でんでんランド」と発話し、音声認識処理の結果、信頼度が高かった「東西／ランド」という２単語だけを、単語列出力部４６０６０から入力部１に送る場合を考える。このとき、施設名検索部６では、「東西」、「ランド」という２つの形態素がある施設名を検索して、一覧を得る方法で実装できる。また、ユーザが「東西でんでんランド」と発話し、音声認識処理の結果、信頼度が高かった「東海／ランド」、「東西／ランド」という、各２つの単語からなる２つの単語列が得られたとする。単語列出力部４６０６０から入力部１に対して、この２つの単語列を送る場合を考える。このとき、施設名検索部６では、「東西」、「ランド」という２つの形態素がある施設名と、「東海」、「ランド」という２つの形態素がある施設名の両方を検索して、一覧を得る方法で実装できる。
【手続補正１４】
【補正対象書類名】明細書
【補正対象項目名】０２９１
【補正方法】変更
【補正の内容】
【０２９１】
【図１】第１の実施形態を示し、本発明を適用するカーナビゲーション装置の一例を示すブロック図である。
【図２】第１の実施形態を示し、カーナビゲーション装置の機能要素を示すブロック図である。
【図３】第１の実施形態を示し、カーナビゲーション装置の表示装置に出力される画面イメージ。
【図４】第１の実施形態を示し、施設名データベース８の一例の説明図であり、（ａ）は施設名テーブルを、（ｂ）は属性語テーブルを示す。
【図５】第１の実施形態を示し、施設名検索部で行った検索結果の一例の説明図。
【図６】第１の実施形態を示し、カーナビゲーション装置の提示属性作成部で行われる処理の一例を示すフローチャート。
【図７】第１の実施形態を示し、提示属性作成部で行われる独立度ＰINDの計算結果の一例を示す説明図で、（ａ）は独立度が高い例を示し、（ｂ）は独立度が低い例を示す。
【図８】第１の実施形態を示し、提示属性作成部で行われる網羅度ｐEXHの計算結果の一例を示す説明図で、（ａ）は網羅度が高い例を示し、（ｂ）は網羅度が低い例を示す。
【図９】第１の実施形態を示し、提示属性作成部で行われる均一度ｐEQUの計算結果の一例を示す説明図で、（ａ）は均一度が高い例を示し、（ｂ）は均一度が低い例を示す。
【図１０】第１の実施形態を示し、提示属性作成部で行われる理解容易度ＰEASの計算結果の一例を示す説明図で、（ａ）は理解容易度が高い例を示し、（ｂ）は理解容易度が低い例を示す。
【図１１】第１の実施形態を示し、提示属性作成部で抽出された属性の組み合わせの一例を示す説明図。
【図１２】第１の実施形態を示し、カーナビゲーション装置の表示装置に出力される属性語の画面イメージ。
【図１３】第１の実施形態を示し、施設名検索部が作成した施設名候補と属性語及び関連度の一覧を示す。
【図１４】第１の実施形態を示し、カーナビゲーション装置の表示装置に出力される属性語の画面イメージで、（ａ）は属性語が更新された状態を示し、（ｂ）は施設名候補を一覧表示した状態を示す。
【図１５】第１の実施形態を示し、施設名検索部が作成する施設名候補と属性語及び関連度の関係を示す説明図。
【図１６】第１の実施形態を示し、カーナビゲーション装置の表示装置に出力される属性語の画面イメージで、属性語が更新された状態を示す。
【図１７】第２の実施形態を示し、施設名と形態素（属性語）及び関連度の関係を示す説明図。
【図１８】第２の実施形態を示し、施設名の形態素と形態素及び関連度の関係を示す説明図。
【図１９】第２の実施形態を示し、施設名候補に対して、各形態素の組合せに対する得点が高いものから順に並べた説明図。
【図２０】第２の実施形態を示し、カーナビゲーション装置の表示装置に出力される属性語の画面イメージで、属性語が更新された状態を示す。
【図２１】第２の実施形態を示し、施設名候補と形態素及び関連度の関係を示す説明図。
【図２２】第２の実施形態を示し、カーナビゲーション装置の表示装置に出力される属性語の画面イメージで、（ａ）は属性語が更新された状態を示し、（ｂ）施設名候補の一覧表示の例を示す。
【図２３】第３の実施形態を示し、提示属性作成部で行われる処理の一例を示すフローチャート。
【図２４】第３の実施形態を示し、施設名候補と属性語及び関連度の計算結果を示す説明図。
【図２５】第３の実施形態を示し、施設名候補と属性語及び独立度の関係を示し、属性語として「宿泊施設」、「公共機関」と「その他属性」を組み合わせた場合の独立度ＰINDの計算結果の一例を示す。
【図２６】第３の実施形態を示し、施設名候補と属性語及び網羅度の関係を示し、属性語として「宿泊施設」、「公共機関」を組み合わせた場合の網羅度の計算結果の一例を示す。
【図２７】第３の実施形態を示し、施設名候補と属性語及び均一度の関係を示し、属性語として「宿泊施設」、「公共機関」及び「その他属性」を組み合わせた場合の均一度の計算結果の一例を示す。
【図２８】第３の実施形態を示し、施設名候補と属性語及び理解容易度の関係を示し、属性語として「宿泊施設」、「公共機関」及び「その他属性」を組み合わせた場合の理解容易度の計算結果の一例を示す。
【図２９】第３の実施形態を示し、２つの属性語と「その他属性」の組合せに対する得点計算で、得点が高いものから順に並べた例を示す説明図。
【図３０】第３の実施形態を示し、カーナビゲーション装置の表示装置に出力される属性語の画面イメージで、属性語が更新された状態を示す。
【図３１】第４の実施形態を示し、提示属性作成部で行われる処理の一例を示すフローチャート。
【図３２】第４の実施形態を示し、属性セットと属性語の関係を示す説明図。
【図３３】第５の実施形態を示し、提示属性作成部で行われる処理の一例を示すフローチャート。
【図３４】第６の実施形態を示し、カーナビゲーション装置の機能要素を示すブロック図である。
【図３５】第６の実施形態を示し、確定済施設名記憶部の記憶内容の一例を示す説明図。
【図３６】第６の実施形態を示し、施設名と属性語に対する関連度の更新の一例を示す説明図。
【図３７】第６の実施形態を示し、学習の様子を示す説明図で、（ａ）は半年以内に目的地として設定した施設と属性語との関連度を示し、（ｂ）は属性と施設の件数と加算値の関係を示す。
【図３８】第６の実施形態を示し、施設名と属性語及び関連度の関係を示し、（ａ）は加算値の加算前の値を示し、（ｂ）は加算前の加算語の値を示す。
【図３９】第７の実施形態を示し、施設ジャンルごとの重み付け係数を記録したテーブルの説明図。
【図４０】第８の実施形態を示し、カーナビゲーション装置の機能要素を示すブロック図である。
【図４１】第８の実施形態を示し、カーナビゲーション装置とサーバの関係を示すブロック図。
【図４２】第８の実施形態を示し、施設名と各施設名が選択された属性語と選択回数の集計結果を示す説明図。
【図４３】第９の実施形態を示し、形態素による属性語の提示の様子を示す説明図で、（ａ）は抽出された施設名候補を示し、（ｂ）は形態素が「出島」に対応する施設名候補を示し、（ｃ）は形態素が「でんでん」に対応する施設名候補を示す。
【図４４】第９の実施形態を示し、カーナビゲーション装置の表示装置に出力される属性語の画面イメージ。
【図４５】第１０の実施形態を示し、施設名候補と形態素及び関連度の関係を示す説明図。
【図４６】第１０の実施形態を示し、カーナビゲーション装置の表示装置に出力される属性語の画面イメージ。
【図４７】第１１の実施形態を示し、カーナビゲーション装置の機能要素を示すブロック図である。
【図４８】第１１の実施形態を示し、辞書の一例を示し、単語と音素列の関係を示す説明図。
【手続補正１５】
【補正対象書類名】図面
【補正対象項目名】図４
【補正方法】変更
【補正の内容】
【図４】
2009217585.tif 000001